(57)【要約】【課題】画像入力装置から画像ファイル管理装置に転送され保存された画像ファイルを容易に識別できるようにする。【解決手段】画像入力装置から転送されてきた画像ファイルを画像ファイルの撮影日情報に応じて作成されたフォルダに保存する画像ファイル管理方法であって、転送されてきた画像ファイルの撮影日が１種類の場合は、画像ファイルを保存した１種類のフォルダをカレントフォルダとして画面に表示し、撮影日が複数種類ある場合は、該複数種類の撮影日に対応して作成される複数のフォルダを含む上位の階層のフォルダをカレントフォルダとして画面に表示する。【選択図】      図８
2006072517.tif 000002
【特許請求の範囲】
【請求項１】
画像ファイルを該画像ファイルの情報に応じて、フォルダに保存する画像ファイル管理装置であって、
前記画像ファイルが１種類の場合は、該画像ファイルを保存する１種類のフォルダをカレントフォルダとして画面に表示し、複数種類ある場合は、該複数種類に対応した複数のフォルダを含む上位の階層のフォルダをカレントフォルダとして画面に表示することを特徴とする画像ファイル管理装置。
【請求項２】
前記画像ファイルの情報とは、撮影日情報であることを特徴とする請求項１に記載の画像ファイル管理装置。
【請求項３】
前記画像ファイルは、画像入力装置から入力された画像ファイルであることを特徴とする請求項１に記載の画像ファイル管理装置。
【請求項４】
前記画像入力装置から入力された画像を他の画像と識別可能に画面に表示することを特徴とする請求項３に記載の画像ファイル管理装置。
【請求項５】
画像ファイル管理装置に保存された画像を全て表示することを特徴とする請求項１に記載の画像ファイル管理装置。
【請求項６】
前記複数のフォルダを含む上位の階層のフォルダとは、前記複数のフォルダの上へと階層をたどっていったときに、共通にたどり着くフォルダであることを特徴とする請求項１に記載の画像ファイル管理装置。
【請求項７】
画像ファイルを該画像ファイルの情報に応じて、フォルダに保存する画像ファイル管理方法であって、
前記画像ファイルが１種類の場合は、該画像ファイルを保存する１種類のフォルダをカレントフォルダとして画面に表示し、複数種類ある場合は、該複数種類に対応した複数のフォルダを含む上位の階層のフォルダをカレントフォルダとして画面に表示することを特徴とする画像ファイル管理方法。
【請求項８】
前記画像ファイルの情報とは、撮影日情報であることを特徴とする請求項７に記載の画像ファイル管理方法。
【請求項９】
前記画像ファイルは、画像入力装置から入力された画像ファイルであることを特徴とする請求項７に記載の画像ファイル管理方法。
【請求項１０】
前記画像入力装置から入力された画像を他の画像と識別可能に画面に表示することを特徴とする請求項９に記載の画像ファイル管理方法。
【請求項１１】
画像ファイル管理装置に保存された画像を全て表示することを特徴とする請求項７に記載の画像ファイル管理方法。
【請求項１２】
前記複数のフォルダを含む上位の階層のフォルダとは、前記複数のフォルダの上へと階層をたどっていったときに、共通にたどり着くフォルダであることを特徴とする請求項７に記載の画像ファイル管理方法。
【請求項１３】
請求項７乃至１２のいずれか１項に記載の画像ファイル管理方法をコンピュータに実行させることを特徴とするプログラム。
【請求項１４】
請求項１３に記載のプログラムをコンピュータ読み取り可能に記憶したことを特徴とする記憶媒体。
【発明の詳細な説明】
【技術分野】
【０００１】
本発明は、画像入力装置から画像ファイルを取り込み、管理を行う技術に関するものである。
【背景技術】
【０００２】
従来、画像入力装置から画像ファイル管理装置内に画像ファイルを取り込んで保存する場合、予め保存先として指定したフォルダ（例えば、MyPictures等）を常にカレントフォルダとして表示していた。この場合、画像データの撮影日（例えば、２００４年７月２６日）によってフォルダの自動生成をする場合には、”My Pictures\2004\07\2004_07_26”というフォルダを自動作成し、そのフォルダに画像ファイルを保存していた。即ち、”My Pictures”というフォルダの中に”2004”というフォルダを作成し、この”2004”というフォルダの中に”07”というフォルダを作成し、更にこの”07”というフォルダの中に”2004_07_26”というフォルダを作成する作業を自動的に行い”2004_07_26”というフォルダの中に画像ファイルを保存していた。そして、”My Pictures”のフォルダがカレントフォルダになっているため、”My Pictures”のフォルダ以下のフォルダを全て表示していた。
【０００３】
または、画像入力装置から転送され、画像ファイル管理装置内に保持される画像ファイルが複数のフォルダに分類される場合（例えば撮影日が異なる複数の画像ファイルがある場合）、一番最後に転送された画像ファイルが保持されたフォルダを、カレントフォルダとして表示していた。
【非特許文献１】”Windows XPが搭載されているＰＣに写真を保存しよう”、[online]、平成１５年２月２１日、Microsoft、[平成１６年８月３１日検索]、インターネット＜URL：http://www.microsoft.com/japan/windowsxp/digitalphotography/videos/getphotos.asp＞
【発明の開示】
【発明が解決しようとする課題】
【０００４】
しかしながら、上記の従来例のうちの前者の方法では、保存先に指定したフォルダ（カレントフォルダ）の存在する階層に比べ、転送した画像ファイルが深い階層のフォルダに保持される場合（上記の例では、保存先に指定された”My Pictures”というフォルダ（カレントフォルダ）の階層の下に”2004”というフォルダの階層があり、この”2004”というフォルダの階層の下に”07”というフォルダの階層があり、更にこの”07”というフォルダの階層の下に”2004_07_26”というフォルダの階層がある）、図１に示すように、選択状態となっている画像ファイル（現在取り込まれた画像ファイル）が小さく表示され、ユーザーはどの画像ファイルが取り込まれたのかを判断することが難しい。
【０００５】
また、上記の従来例のうちの後者の方法では、画像が保持された複数のフォルダのうち、一つのフォルダのみをカレントフォルダとして表示することになるので、ユーザーは表示されていないその他のフォルダの内のどのフォルダに画像ファイルが保持されたのかを判断できない。
【０００６】
また、非特許文献１には、画像を取り込んだフォルダを開くことや、取り込んだ画像のみを選択状態にすることができることが開示されているが、「ある条件(撮影日など)」で画像の取り込み先を振り分けることはできない。
【０００７】
従って、本発明は上述した課題に鑑みてなされたものであり、その目的は、画像入力装置から画像ファイル管理装置に転送され保存された画像ファイルを容易に識別できるようにすることである。
【課題を解決するための手段】
【０００８】
上述した課題を解決し、目的を達成するために、本発明に係わる画像ファイル管理装置は、画像ファイルを該画像ファイルの情報に応じて、フォルダに保存する画像ファイル管理装置であって、前記画像ファイルが１種類の場合は、該画像ファイルを保存する１種類のフォルダをカレントフォルダとして画面に表示し、複数種類ある場合は、該複数種類に対応した複数のフォルダを含む上位の階層のフォルダをカレントフォルダとして画面に表示することを特徴とする。
【０００９】
また、この発明に係わる画像ファイル管理装置において、前記画像ファイルの情報とは、撮影日情報であることを特徴とする。
【００１０】
また、この発明に係わる画像ファイル管理装置において、前記画像ファイルは、画像入力装置から入力された画像ファイルであることを特徴とする。
【００１１】
また、この発明に係わる画像ファイル管理装置において、前記画像入力装置から入力された画像を他の画像と識別可能に画面に表示することを特徴とする。
【００１２】
また、この発明に係わる画像ファイル管理装置において、画像ファイル管理装置に保存された画像を全て表示することを特徴とする。
【００１３】
また、この発明に係わる画像ファイル管理装置において、前記複数のフォルダを含む上位の階層のフォルダとは、前記複数のフォルダの上へと階層をたどっていったときに、共通にたどり着くフォルダであることを特徴とする。
【００１４】
また、本発明に係わる画像ファイル管理方法は、画像ファイルを該画像ファイルの情報に応じて、フォルダに保存する画像ファイル管理方法であって、前記画像ファイルが１種類の場合は、該画像ファイルを保存する１種類のフォルダをカレントフォルダとして画面に表示し、複数種類ある場合は、該複数種類に対応した複数のフォルダを含む上位の階層のフォルダをカレントフォルダとして画面に表示することを特徴とする。
【００１５】
また、この発明に係わる画像ファイル管理方法において、前記画像ファイルの情報とは、撮影日情報であることを特徴とする。
【００１６】
また、この発明に係わる画像ファイル管理方法において、前記画像ファイルは、画像入力装置から入力された画像ファイルであることを特徴とする。
【００１７】
また、この発明に係わる画像ファイル管理方法において、前記画像入力装置から入力された画像を他の画像と識別可能に画面に表示することを特徴とする。
【００１８】
また、この発明に係わる画像ファイル管理方法において、画像ファイル管理装置に保存された画像を全て表示することを特徴とする。
【００１９】
また、この発明に係わる画像ファイル管理方法において、前記複数のフォルダを含む上位の階層のフォルダとは、前記複数のフォルダの上へと階層をたどっていったときに、共通にたどり着くフォルダであることを特徴とする。
【００２０】
また、本発明に係わるプログラムは、上記の画像ファイル管理方法をコンピュータに実行させることを特徴とする。
【００２１】
また、本発明に係わる記憶媒体は、上記のプログラムをコンピュータ読み取り可能に記憶したことを特徴とする。
【発明の効果】
【００２２】
本発明によれば、画像入力装置から画像ファイル管理装置に転送され保存された画像ファイルを容易に識別することが可能となる。
【発明を実施するための最良の形態】
【００２３】
以下、本発明の好適な一実施形態について、図面を参照して詳細に説明する。
【００２４】
本実施形態では、画像入力装置から転送し、画像ファイル管理システムに保持する対象の画像ファイルを、その撮影情報に従って自動作成される”撮影年\撮影月\撮影年月日”フォルダに保持させる設定とし、また、保存先フォルダとして”My Pictures”フォルダを指定していることを前提とする。
【００２５】
[保持されるフォルダが一つの場合の表示とフォルダツリー]
転送・保持される全ての画像ファイルが単一のフォルダへ保持される場合、その単一のフォルダをカレントフォルダとして、図２のように表示する。また、この場合のフォルダツリーを図３に示す。図３において、選択状態となっているフォルダがカレントフォルダとなる。
【００２６】
例えば、２００４年７月２６日に撮影した画像ファイルのみを転送した場合、画像ファイルが保持されるフォルダは、”My Pictures\2004\07\2004_07_26”となり、カレントフォルダとして表示されるフォルダも”My Pictures\2004\07\2004_07_26”となる。
【００２７】
[保持されるフォルダが複数の場合の表示]
（同月の場合の表示例とフォルダツリー）
転送・保持される画像ファイル群が同じ月の異なる日に撮影された画像ファイルで構成されている場合、１階層上のフォルダをカレントフォルダとして、図４のように表示する。また、この場合のフォルダツリーを図５に示す。図５において、選択状態となっているフォルダがカレントフォルダとなる。
【００２８】
例えば、２００４年７月２０日に撮影した画像ファイルＡと、２００４年７月２６日に撮影した画像ファイルＢを転送した場合には、画像ファイルが保持されるフォルダは、画像ファイルＡについては、”My Pictures\2004\07\2004_07_20”となり、画像ファイルＢについては、”My Pictures\2004\07\2004_07_26”となる。そして、カレントフォルダとして画面上に表示されるフォルダは、１階層上の”My Pictures\2004\07”となる。
【００２９】
（同年の場合の表示例とフォルダツリー）
転送・保持される画像ファイル群が同じ年の異なる月に撮影された画像で構成されている場合、２階層上のフォルダをカレントフォルダとして表示する。この場合のフォルダツリーを図６に示す。図６において、選択状態となっているフォルダがカレントフォルダとなる。
【００３０】
例えば、２００４年５月２８日に撮影した画像ファイルＡと、２００４年７月２０日に撮影した画像ファイルＢを転送する場合、画像ファイルが保持されるフォルダは、画像ファイルＡについては、”My Pictures\2004\05\2004_05_28”となり、画像ファイルＢについては、”My Pictures\2004\07\2004_07_20”となる。そして、カレントフォルダとして画面上に表示されるフォルダは、２階層上の”My Pictures\2004”となる。
【００３１】
（異年の場合の表示例とフォルダツリー）
転送・保持される画像ファイル群が異なる年に撮影された画像で構成されている場合、３階層上のフォルダをカレントフォルダとして表示する。この場合のフォルダツリーを図７に示す。図７において、選択状態となっているフォルダがカレントフォルダとなる。
【００３２】
例えば、２００３年５月２８日に撮影した画像ファイルＡと、２００４年７月２０日に撮影した画像ファイルＢを転送する場合、画像ファイルが保持されるフォルダは、画像ファイルＡについては、”My Pictures\2003\05\2003_05_28”となり、画像ファイルＢについては、”My Pictures\2004\07\2004_07_20”となる。そして、カレントフォルダとして画面上に表示されるフォルダは、３階層上の”My Pictures”となる。
【００３３】
（カレントフォルダを決定するためのアルゴリズム）
次に、カレントフォルダを決定するためのアルゴリズムについて、図８を参照して説明する。
【００３４】
まず、ステップＳ２で画像ファイルの転送が開始されると、転送・保持対象画像ファイルの撮影日から、保存先フォルダパスを取得する（ステップＳ４）。
【００３５】
ステップＳ６で、転送ファイルが１枚目であるか否かが判断され、１枚目の画像ファイルであれば、その保存先フォルダパスをカレントフォルダパスとして設定する（ステップＳ１３）。
【００３６】
ステップＳ６で、もし１枚目の画像ファイルでなければ、現在設定されているカレントフォルダパスと保存先フォルダパスを比較し、パスの一致している部分を抽出する（ステップＳ１０）。
【００３７】
ステップＳ１２では、抽出したパスをカレントフォルダパスとして設定する。
【００３８】
そして、ステップＳ１４で全ての画像ファイルの転送が終了したか否かを判断し、転送・保持対象画像ファイルの転送がすべて終了するまでステップＳ４〜ステップＳ１４を繰り返す。
【００３９】
次に、図９は、図８に示すアルゴリズムを用いて、カレントフォルダがどのように変化するかの一例を示す図である。
【００４０】
まず、１枚目の画像ファイル”My Pictures\2004\05\2004_05_20\IMG_0001.JPG”については、保存先フォルダパスは、”My Pictures\2004\05\2004_05_20”となる。そして、１枚目の画像ファイルについては、図８のステップＳ６からステップＳ１３に進むので、保存先フォルダパス”My Pictures\2004\05\2004_05_20”がそのままカレントフォルダパスとなる。
【００４１】
２枚目の画像ファイル”My Pictures\2004\05\2004_05_20\IMG_0002.JPG”については、保存先フォルダパスは、１枚目の場合と同様に、”My Pictures\2004\05\2004_05_20”となる。そして、２枚目の画像ファイルについては、図８のステップＳ８、ステップＳ１０でカレントフォルダパスと保存先フォルダパスが比較され、この場合、現在のカレントフォルダパスと保存先フォルダパスが同一であるので、現在のカレントフォルダパス”My Pictures\2004\05\2004_05_20”がそのままカレントフォルダパスに設定される（図８、ステップＳ１２）。
【００４２】
３枚目の画像ファイル”My Pictures\2004\05\2004_05_28\IMG_0003.JPG”については、保存先フォルダパスは、”My Pictures\2004\05\2004_05_28”となる。この画像ファイルは、２枚目の画像ファイルと撮影された月は同じであるが、日が異なる。そして、３枚目の画像ファイルについては、図８のステップＳ８、ステップＳ１０で、カレントフォルダパスと保存先フォルダパスが比較され、この場合、現在のカレントフォルダパス”My Pictures\2004\05\2004_05_20”と保存先フォルダパス”My Pictures\2004\05\2004_05_28”の一致している部分は、”My Pictures\2004\05”となるので、カレントフォルダパスは、”My Pictures\2004\05”と設定され、”My Pictures\2004\05\2004_05_20”のフォルダの内容と、”My Pictures\2004\05\2004_05_28”のフォルダの内容の双方が画面に表示される（図８、ステップＳ１２）。
【００４３】
４枚目の画像ファイル”My Pictures\2004\07\2004_07_26\IMG_0004.JPG”については、保存先フォルダパスは、”My Pictures\2004\07\2004_07_26”となる。この画像ファイルは、３枚目の画像ファイルと撮影された年は同じであるが、月が異なる。そして、４枚目の画像ファイルについては、図８のステップＳ８、ステップＳ１０で、カレントフォルダパスと保存先フォルダパスが比較され、この場合、現在のカレントフォルダパス”My Pictures\2004\05”と保存先フォルダパス”My Pictures\2004\07\2004_07_26”の一致している部分は、”My Pictures\2004”となるので、カレントフォルダパスは、”My Pictures\2004”と設定される（図８、ステップＳ１２）。
【００４４】
更に５枚得目の画像ファイル”My Pictures\2003\07\2003_07_26\IMG_0005.JPG”については、保存先フォルダパスは、”My Pictures\2003\07\2003_07_26”となる。この画像ファイルは、４枚目の画像ファイルとは撮影された年も異なる。そして、５枚目の画像ファイルについては、図８のステップＳ８、ステップＳ１０で、カレントフォルダパスと保存先フォルダパスが比較され、この場合、現在のカレントフォルダパス”My Pictures\2004”と保存先フォルダパス”My Pictures\2003\07\2003_07_26”の一致している部分は、”My Pictures”となるので、カレントフォルダパスは、”My Pictures”と設定される（図８、ステップＳ１２）。
【００４５】
以上のようにして、カレントフォルダが設定される。
【００４６】
以上説明したように、上記の実施形態によれば、保存先に指定したフォルダの存在する階層に比べ、転送した画像ファイルが深い階層のフォルダに保持されたとしても、保持された画像が比較的大きく表示されるため、ユーザーはどのフォルダへ取り込まれているのかの判断が容易になる。
【００４７】
また、転送が終わった瞬間に、画像が保持された複数のフォルダ全てが表示されるため、ユーザーは画像ファイルが保持されたフォルダを容易に判別することができる。
【００４８】
なお、上記の実施形態においては、撮影日情報に応じて階層的にフォルダを管理する場合について説明したが、本発明は撮影日に限定されることなく、カメラの機種（メーカー名、一眼レフタイプあるいはコンパクトタイプ、機種名等）等、他の管理情報に基づいてフォルダを階層的に管理する場合にも適用可能である。
【００４９】
（他の実施形態）
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００５０】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００５１】
本発明を上記記憶媒体に適用する場合、その記憶媒体には、先に説明した手順に対応するプログラムコードが格納されることになる。
【図面の簡単な説明】
【００５２】
【図１】深い階層に画像が取り込まれた場合の画面表示例を示す図である。
【図２】転送・保持される全ての画像ファイルが単一のフォルダへ保持される場合の画面表示例を示す図である。
【図３】全ての画像が単一のフォルダに保持される場合のフォルダツリーの例を示す図である。
【図４】１階層上のフォルダがカレントフォルダとなる場合の画面表示例を示す図である。
【図５】１階層上のフォルダがカレントフォルダとなる場合のフォルダツリーの例を示す図である。
【図６】２階層上のフォルダがカレントフォルダとなる場合のフォルダツリーの例を示す図である。
【図７】３階層上のフォルダがカレントフォルダとなる場合のフォルダツリーの例を示す図である。
【図８】カレントフォルダを決定するためのアルゴリズムを示すフローチャートである。
【図９】図８に示すアルゴリズムを用いて、カレントフォルダがどのように変化するかの一例を示す図である。
【図１】
2006072517.tif 000003
【図２】
2006072517.tif 000004
【図３】
2006072517.tif 000005
【図４】
2006072517.tif 000006
【図５】
2006072517.tif 000007
【図６】
2006072517.tif 000008
【図７】
2006072517.tif 000009
【図８】
2006072517.tif 000010
【図９】
2006072517.tif 000011